(57)【特許請求の範囲】
【請求項１】
上面が開口した炊飯器本体と、前記炊飯器本体内に着脱自在に収納される鍋と、前記炊飯器本体を開閉自在に覆う蓋と、前記鍋を加熱する加熱手段と、炊飯器の動作を制御するマイクロコンピュータと、商用電源から前記マイクロコンピュータに駆動電圧を供給する電源回路と、前記商用電源がないときに前記マイクロコンピュータに電力を供給する複数のバックアップ回路とを備え、前記複数のバックアップ回路は、それぞれ少なくともバックアップ電力を供給する電池と電流の逆流防止用ダイオードを含む電子部品とで構成するとともに、前記マイクロコンピュータを搭載した同一基板上に並列に配線し、複数あるバックアップ電力を供給する電池の電池間距離を少なくとも電池の直径よりも離して配置した炊飯器。
【請求項２】
上面が開口した炊飯器本体と、前記炊飯器本体内に着脱自在に収納される鍋と、前記炊飯器本体を開閉自在に覆う蓋と、前記鍋を加熱する加熱手段と、炊飯器の動作を制御するマイクロコンピュータと、商用電源から前記マイクロコンピュータに駆動電圧を供給する電源回路と、前記商用電源がないときに前記マイクロコンピュータに電力を供給する複数のバックアップ回路とを備え、前記複数のバックアップ回路は、それぞれ少なくともバックアップ電力を供給する電池と電流の逆流防止用ダイオードを含む電子部品とで構成するとともに、前記マイクロコンピュータの電源とグランド間に並列に接続し、かつ前記バックアップ回路は前記マイクロコンピュータを搭載した基板以外の少なくとも１個の基板に配置し、前記バックアップ回路を搭載した基板の各々の基板間距離を電池の直径よりも離して配置した炊飯器。
【請求項３】
バックアップ電力を供給する電池は、基板に直接はんだ付けした請求項１または２記載の炊飯器。
【請求項４】
バックアップ電力を供給する電池は、基板と前記電池の間に挟み込むような位置に少なくとも１つの緩衝手段を有する請求項１〜３のいずれか１項に記載の炊飯器。
【請求項５】
バックアップ電力を供給する少なくとも１つの電池の近傍に温度センサを有する請求項１〜４のいずれか１項に記載の炊飯器。
【請求項６】
バックアップ電力を供給する複数の電池は、基板に直接はんだ付けできる構造を有し、前記複数の電池の配置方向をそれぞれ変えた請求項１〜５のいずれか１項に記載の炊飯器。
【発明の詳細な説明】
【技術分野】
【０００１】
本発明は、電源プラグをコンセントから抜かれたときの商用電源のバックアップ機能を有する炊飯器に関するものである。
【背景技術】
【０００２】
近年、炊飯器においては、時計を持った予約機能付きのものが主流になっており、炊飯器に搭載されるマイクロコンピュータは電源プラグをコンセントから抜かれても時計機能や炊飯器として調理可能なメニュー等の記憶機能を継続できるように、マイクロコンピュータの動作用電源として電池を配し、マイクロコンピュータの電源バックアップを行っている（例えば、特許文献１参照）。
【０００３】
一方、炊飯器として可能な調理メニューの増加によりマイクロコンピュータのロム容量を増大させ、また、調理メニューの複雑化な動作制御のためにマイクロコンピュータの駆動速度が向上したことによって、マイクロコンピュータの動作電流も多く必要になっている。
【０００４】
また、近年の省エネルギー化を反映して、炊飯器の使用者は炊飯器を使用しないときは電源プラグを抜く場合が多く、バックアップ電池の消耗は早くなる傾向がある。
【特許文献１】特開２００２−３７４６３８号公報
【発明の開示】
【発明が解決しようとする課題】
【０００５】
しかしながら、このような従来の構成では、使用者の使い方によっては電池の消耗によるマイクロコンピュータのバックアップが不能になり、電池交換が必要になる場合も発生する場合があった。
【０００６】
また、通常使用においても炊飯器の多機能化からの電池の大容量化で電池が重くなることで電池を支える接続部にかかる負荷が多くなっていた。
【０００７】
さらに、炊飯器の多機能化により炊飯器の蓋部には多くの機構部品が搭載され、従来の炊飯器よりもより一層蓋部の重量が重くなっており、炊飯器の蓋の開閉や炊飯器の持ち運びの際によって起こった振動が炊飯器内に搭載された基板に伝わり、振動による衝撃によって電池の脚部に負荷がかかり、脚部が折れたり、電池と脚部の溶接が外れたりして電源のバックアップができなくなるといった問題があった。
【０００８】
本発明は上記従来の課題を解決するもので、蓋の開閉や炊飯器の持ち運びの際に炊飯器本体への衝撃による電池にかかる衝撃を分散して電池の破壊を回避するとともに、電池の接続部が破壊した場合でも、他の電池に接触することがないようにして、電池の接触による電池の発熱を回避し、信頼性を向上することを目的としている。
【課題を解決するための手段】
【０００９】
本発明は上記目的を達成するために、上面が開口した炊飯器本体を蓋により開閉自在に覆い、この炊飯器本体内に鍋を着脱自在に収納し、、鍋を加熱手段により加熱し、マイクロコンピュータにより炊飯器の動作を制御し、商用電源から電源回路を通してマイクロコンピュータに駆動電圧を供給し、商用電源がないときに複数のバックアップ回路よりマイクロコンピュータに電力を供給するよう構成し、複数のバックアップ回路は、それぞれ少なくともバックアップ電力を供給する電池と電流の逆流防止用ダイオードを含む電子部品
とで構成するとともに、マイクロコンピュータを搭載した同一基板上に並列に配線し、複数あるバックアップ電力を供給する電池の電池間距離を少なくとも電池の直径よりも離して配置したものである。
【００１０】
これにより、蓋の開閉や炊飯器の持ち運びの際に炊飯器本体への衝撃による電池にかかる衝撃を分散することができて電池の破壊を回避できるとともに、電池の接続部が破壊した場合でも、他の電池に接触することがなく、電池の接触による電池の発熱を回避することができ、信頼性を向上することができる。
【発明の効果】
【００１１】
本発明の炊飯器は、蓋の開閉や炊飯器の持ち運びの際に炊飯器本体への衝撃による電池にかかる衝撃を分散することができて電池の破壊を回避できるとともに、電池の接続部が破壊した場合でも、他の電池に接触することがなく、電池の接触による電池の発熱を回避することができ、信頼性を向上することができる。
【発明を実施するための最良の形態】
【００１２】
第１の発明は、上面が開口した炊飯器本体と、前記炊飯器本体内に着脱自在に収納される鍋と、前記炊飯器本体を開閉自在に覆う蓋と、前記鍋を加熱する加熱手段と、炊飯器の動作を制御するマイクロコンピュータと、商用電源から前記マイクロコンピュータに駆動電圧を供給する電源回路と、前記商用電源がないときに前記マイクロコンピュータに電力を供給する複数のバックアップ回路とを備え、前記複数のバックアップ回路は、それぞれ少なくともバックアップ電力を供給する電池と電流の逆流防止用ダイオードを含む電子部品とで構成するとともに、前記マイクロコンピュータを搭載した同一基板上に並列に配線し、複数あるバックアップ電力を供給する電池の電池間距離を少なくとも電池の直径よりも離して配置したものであり、バックアップ電力を供給する電池を複数個搭載することによりバックアップ時間を長時間化することができるとともに、蓋の開閉や炊飯器の持ち運びの際に炊飯器本体への衝撃が基板へ伝わり、基板と電池との接続部分の破壊に対して、電池にかかる衝撃を分散して電池の破壊を回避することができ、また、ある電池がバックアップ不能となっても他方の電池によりマイクロコンピュータの電源のバックアップが可能になるとともに電池の接続部が破壊した場合にでも、他のバックアップ電力を供給する電池に接触することがなく、電池の接触による電池の発熱が回避することができ、信頼性を向上することができる。
【００１３】
第２の発明は、上面が開口した炊飯器本体と、前記炊飯器本体内に着脱自在に収納される鍋と、前記炊飯器本体を開閉自在に覆う蓋と、前記鍋を加熱する加熱手段と、炊飯器の動作を制御するマイクロコンピュータと、商用電源から前記マイクロコンピュータに駆動電圧を供給する電源回路と、前記商用電源がないときに前記マイクロコンピュータに電力を供給する複数のバックアップ回路とを備え、前記複数のバックアップ回路は、それぞれ少なくともバックアップ電力を供給する電池と電流の逆流防止用ダイオードを含む電子部品とで構成するとともに、前記マイクロコンピュータの電源とグランド間に並列に接続し、かつ前記バックアップ回路は前記マイクロコンピュータを搭載した基板以外の少なくとも１個の基板に配置し、前記バックアップ回路を搭載した基板の各々の基板間距離を電池の直径よりも離して配置したものであり、バックアップ回路を複数個搭載することによるバックアップ時間を長時間化することができるともに、蓋の開閉や炊飯器の持ち運びの際に炊飯器本体への衝撃が基板へ伝わり、基板と電池との接続部分の破壊に対して、バックアップ回路の基板に搭載した電池にかかる衝撃を分散して電池の破壊を回避することができる。
【００１４】
第３の発明は、上記第１または第２の発明において、バックアップ電力を供給する電池は、基板に直接はんだ付けしたものであり、蓋の開閉や炊飯器の持ち運びの際に炊飯器本
体への衝撃が基板へ伝わり、基板と電池の特に電池側の接続部分の破壊に対して、電池にかかる衝撃を分散して電池の破壊を回避することができる。
【００１５】
第４の発明は、上記第１〜３のいずれか１つの発明において、バックアップ電力を供給する電池は、基板と前記電池の間に挟み込むような位置に少なくとも１つの緩衝手段を有するものであり、蓋の開閉や炊飯器の持ち運びの際に炊飯器本体への衝撃が基板へ伝わったとき、基板と電池の間の緩衝手段で電池にかかる衝撃を更に分散し、かつ緩和することができて電池の破壊を回避することができる。
【００１６】
第５の発明は、上記第１〜４のいずれか１つの発明において、バックアップ電力を供給する少なくとも１つの電池の近傍に温度センサを有するものであり、蓋の開閉や炊飯器の持ち運びの際に炊飯器本体への衝撃が基板へ伝わり、この衝撃によりバックアップ回路の電池が破壊または故障して発熱した場合には、温度センサからの温度情報により、バックアップ機能の状態を使用者に知らせることができるとともに、危険な状態の場合においては炊飯器の強制停止を行い、使用者が安全に炊飯器を使用できる。
【００１７】
第６の発明は、上記第１〜５のいずれか１つの発明において、バックアップ電力を供給する複数の電池は、基板に直接はんだ付けできる構造を有し、前記複数の電池の配置方向をそれぞれ変えたものであり、蓋の開閉や炊飯器の持ち運びの際に炊飯器本体への衝撃が基板へ伝わり、基板と電池との接続部分の破壊に対して、電池の配置方向をそれぞれ変えることで、電池にかかる衝撃を分散して電池の破壊を回避することができる。
【００１８】
以下、本発明の実施の形態について、図面を参照しながら説明する。なお、この実施の形態によって本発明が限定されるものではない。
【００１９】
（実施の形態１）
図１は、本発明の実施の形態１の炊飯器の基板の上面図を示し、図２は、同炊飯器の断面図を示し、図３は、同炊飯器の一部ブロック化した回路図を示し、図４は、同炊飯器の蓋内の基板配置を示す透視図を示すものである。
【００２０】
図２に示すように、炊飯器本体３０は、内部に鍋２４を着脱自在に収納しており、上部には蓋３１を開閉可能に設け、ヒンジ軸３２を軸として蓋３１は開閉できるようにしている。炊飯器本体３０の下部には、鍋２４の下部と対向する位置に鍋２４を電磁誘導加熱する加熱コイル（加熱手段）２３を設けている。蓋３１内には、図４に示すように、基板１３を設置している。
【００２１】
基板１３には、図１に示すように、炊飯器の動作を制御するマイクロコンピュータ１を実装しており、時刻や炊飯器で調理可能な調理メニューや予約時刻や炊飯器の機能を示す表示装置２と、商用電源がないときにマイクロコンピュータ１に駆動電圧の電力を供給する複数のバックアップ回路２６、２７、２８を実装している。
【００２２】
バックアップ回路２６は、図３に示すように、バックアップ電力を供給する電池４と電池４への電流の逆流防止用ダイオード５と電池４への充電電流を制限する抵抗６を直列に接続して構成している。バックアップ回路２７は、バックアップ電力を供給する電池７と電池７への電流の逆流防止用ダイオード８と電池７への充電電流を制限する抵抗９を直列に接続して構成している。また、バックアップ回路２８は、バックアップ電力を供給する電池１０と電池１０への電流の逆流防止用ダイオード１１と電池１０への充電電流を制限する抵抗１２を直列に接続して構成している。
【００２３】
ここで、電池４、７、１０のそれぞれの電池間の距離は、電池４、７、１０の直径より
離して配置している。例えば、電池７の直径をＬとして、最も近傍の電池４までの距離をＨとした場合、Ｌ＜Ｈの関係で配置している。また、電池４と電池１１は基板１３上の配置方向を同一にしないように配置している。
【００２４】
つぎに、図３に示すように、鍋２４は加熱コイル２３により誘導加熱される。商用電源２１から交流電源が供給され、電源手段３によりマイクロコンピュータ１へ直流の駆動電圧を供給している。マイクロコンピュータ１は現在時刻や炊飯器の調理メニューや予約時刻などを表示する表示装置２の制御と、鍋２４を加熱するために加熱手段２３を駆動させる加熱駆動手段２２を制御している。停電などで商用電源からの交流電源供給が途絶えたときは、マイクロコンピュータ１に電池４、電池７、電池１０から駆動電圧が供給され、マイクロコンピュータ１は停電時の処理を行う。
【００２５】
上記構成において動作、作用を説明する。まず、炊飯器の使用方法として、鍋２４に米、または調理したい食べ物を入れて調理を行う。その場合、必ず蓋３１を開けて炊飯器本体３０に鍋２４をセットして使用する。蓋３１は近年の多機能化により多くの機構部品が搭載され、重量が重くなっており、蓋３１を閉じたときには炊飯器本体３０の下部のみならず、蓋３１にも衝撃を与える構造になっている。特に、図２に示すように、蓋３１内に炊飯器を制御するマイクロコンピュータ１を搭載した基板１３への衝撃は、図４の構造よりヒンジ軸３２から離れた位置にある電池ほど可動範囲が広く、大きくなる。また、蓋３１の開閉による衝撃は基板１３に搭載された電池４へも伝達され、特に大容量化された電池では重量が重く、例えば、電池４と基板１３の接続部で接続部当たり５ｇを超える電池については、その接続部あるいは電池を支える部位が破壊される場合がある。また、炊飯器の持ち運びの際にも発生する衝撃に対しても同様の破壊が起こる可能性がある。
【００２６】
以上のような場合に備え、本発明のマイクロコンピュータ１に電力を供給する複数のバックアップ回路２６、２７、２８を備え、かつ各々のバックアップ回路２６、２７、２８に構成された電池４、７、１０の電池間距離を電池の直径よりも離して配置することで、複数ある電池のうちある電池が破壊してバックアップが不能になった場合でも、他方の電池で炊飯器の修理なく電源供給ができるとともに、電池の破壊の際も電池間距離を電池の直径よりも離すことで、蓋３１の開閉の衝撃や炊飯器本体３０の持ち運びの際に発生する衝撃に対して、基板１３の受ける衝撃の分散ができ、電池の破壊のリスクを回避することができるばかりでなく、電池の接続部が破壊した場合にでも、他のバックアップ電力を供給する電池に接触することがなく、電池の接触による電池の発熱が回避することができる。
【００２７】
また、本実施の形態の電池の配置で、蓋３１の開閉の軸となるヒンジ軸３２からの各々の電池までの距離を同じにしないことで、更に基板１３へかかる衝撃の分散が向上し、電池破壊の防止効果も上げることができる。
【００２８】
以上のように、本実施の形態においては、商用電源がないときにマイクロコンピュータ１に電力を供給する複数のバックアップ回路２６、２７、２８を備え、複数のバックアップ回路２６、２７、２８は、マイクロコンピュータ１を搭載した基板１３上に並列に配線し、複数あるバックアップ電力を供給する電池４、７、１０の電池間距離を少なくとも電池の直径よりも離して配置したので、バックアップ電力を供給する電池４、７、１０を複数個搭載することによりバックアップ時間を長時間化することができるとともに、蓋３１の開閉や炊飯器の持ち運びの際に炊飯器本体３０への衝撃が基板１３へ伝わり、基板１３と電池４、７、１０との接続部分の破壊に対して、電池４、７、１０にかかる衝撃を分散して電池の破壊を回避することができ、また、ある電池がバックアップ不能となっても他方の電池によりマイクロコンピュータ１の電源のバックアップが可能になるとともに、電池４、７、１０の接続部が破壊した場合にでも、他のバックアップ電力を供給する電池に
接触することがなく、電池の接触による電池の発熱が回避することができ、信頼性を向上することができる。
【００２９】
また、バックアップ電力を供給する電池４、７、１０は、基板１３に直接はんだ付けできる構造を有し、電池４、７、１０の配置方向をそれぞれ変えたので、蓋３１の開閉や炊飯器の持ち運びの際に炊飯器本体３０への衝撃が基板へ伝わり、基板１３と電池４、７、１０との接続部分の破壊に対して、電池４、７、１０の配置方向をそれぞれ変えることで、電池４、７、１０にかかる衝撃を分散して電池の破壊を回避することができる。
【００３０】
また、炊飯器の構造として、基板１３が蓋１２内に配置されていない場合も、上記衝撃に対する効果は同じである。
【００３１】
なお、本発明の実施の形態については、炊飯器以外の例えば、ホームベーカリーなどのマイクロコンピュータを搭載した産業機器において、商用電源からの電源供給がないときにマイクロコンピュータにバックアップ電圧を供給する構造を持って、なおかつ機器の通常使用にて炊飯器本体に衝撃がかかる機器において、同様の効果があるものである。
【００３２】
（実施の形態２）
図５（ａ）は、本発明の実施の形態２の炊飯器のバックアップ回路を搭載する基板の上面図を示し、図５（ｂ）は同バックアップ回路を搭載する基板の断面図を示すものである。
【００３３】
図５に示すように、バックアップ回路基板１７は、バックアップ回路を構成する電池１４と電池１４への電流の逆流防止用ダイオード１５と電池１４への充電電流を制限する抵抗１６を直列に接続して配置している。また、電池１４はバックアップ回路基板１７への接続方法の例の１つとして直接はんだ付けしている。バックアップ回路基板１７は、図１に示すマイクロコンピュータ１を実装した基板１３とは別の基板で構成し、コネクタ１８で図３に示すマイクロコンピュータ１の電源手段３に並列に接続している。このとき、電池４、７、１０に追加して複数のバックアップ回路基板１７をマイクロコンピュータ１の電源手段３に並列に接続してもよく、電池４、７、１０に代えてバックアップ回路基板１７をマイクロコンピュータ１の電源手段３に並列に接続してもよい。そして、バックアップ回路基板１７と基板１３とは電池１４の直径よりも離して配置している。他の構成は上記実施の形態１と同じあり、説明を省略する。
【００３４】
上記構成において動作、作用を説明する。なお、鍋２４に米、または調理したい食べ物を入れて調理する動作は上記実施の形態１と同じであるので、説明を省略する。
【００３５】
バックアップ回路基板１７と基板１３では、図２で示す炊飯器の蓋３１の開閉および炊飯器本体３０の持ち運びによって発生する衝撃に対して、重量が重い電池を複数の基板に分けて配置することと、基板間距離を電池の直径よりも離して配置することで、バックアップ回路基板１７と基板１３の受ける衝撃を分散することができ、この衝撃による電池１４の破壊のリスクを回避することができるとともに、バックアップ回路基板１７と同様の複数のバックアップ回路基板を備えることで、衝撃によって、ある電池が破壊した場合でも他方のバックアップ回路の電池でバックアップができることで、電池交換修理が発生しない信頼性の高い炊飯器を実現することができる。
【００３６】
以上のように、本実施の形態においては、バックアップ回路はマイクロコンピュータ１を搭載した基板１３以外のバックアップ回路基板１７に配置し、バックアップ回路を搭載した基板の各々の基板間距離を電池１４の直径よりも離して配置したので、蓋３１の開閉や炊飯器の持ち運びの際に炊飯器本体３０への衝撃がバックアップ回路基板１７へ伝わり
、バックアップ回路基板１７に搭載した電池１４にかかる衝撃を分散して電池１４の破壊を回避することができる。
【００３７】
また、電池１４は、バックアップ回路基板１７に直接はんだ付けしたので、蓋３１の開閉や炊飯器の持ち運びの際に炊飯器本体３０への衝撃が基板へ伝わり、電池１４にかかる衝撃を分散して電池１４の破壊を回避することができる。
【００３８】
（実施の形態３）
図６（ａ）は、本発明の実施の形態３の炊飯器のバックアップ回路を搭載する基板の上面図を示し、図６（ｂ）は同バックアップ回路を搭載する基板の断面図を示すものである。
【００３９】
図６に示すように、緩衝手段２０は、シリコンを塗布することにより構成しており、バックアップ回路基板１７とバックアップ電力を供給する電池１４の間に挟み込むような位置に設けている。他の構成は上記実施の形態２と同じであり、同一符号を付して説明を省略する。
【００４０】
上記構成において動作、作用を説明する。なお、鍋２４に米、または調理したい食べ物を入れて調理する動作は上記実施の形態１と同じであるので、説明を省略する。
【００４１】
図２に示す炊飯器の蓋３１の開閉および炊飯器本体３０の持ち運びによって発生する衝撃に対して、上記実施の形態１及び２よりも、さらに衝撃による電池１４の破壊のリスクを回避することができる。
【００４２】
以上のように、本実施の形態においては、バックアップ回路基板１４とバックアップ電力を供給する電池１４の間に挟み込むような位置に緩衝手段２０を有するので、蓋３１の開閉や炊飯器の持ち運びの際に炊飯器本体３０への衝撃がバックアップ回路基板１７へ伝わったとき、緩衝手段２０で電池１４にかかる衝撃をさらに分散し、かつ緩和することができて電池１４の破壊を回避することができる。
【００４３】
なお、本実施の形態では、緩衝手段２０をバックアップ回路基板１７とバックアップ電力を供給する電池１４の間に設けているが、図１に示す基板１３と電池４、７、１０の少なくともいずれか１つ間に設けてもよいことはいうまでもない。
【００４４】
また、本実施の形態では、緩衝手段２０としてシリコンを使用したが、ウレタンやその他、衝撃緩衝材や衝撃吸収材として使用できる材料であれば使用可能であり、その効果も有効であるのはいうまでもない。
【００４５】
（実施の形態４）
図７は、本発明の実施の形態４の炊飯器の基板の上面図を示すものである。
【００４６】
図７に示すように、温度センサ４０は、バックアップ電力を供給する電池４の近傍に設けている。他の構成は上記実施の形態１と同じであり、同一符号を付して説明を省略する。
【００４７】
上記構成において動作、作用を説明する。なお、鍋２４に米、または調理したい食べ物を入れて調理する動作は上記実施の形態１と同じであるので、説明を省略する。
【００４８】
電池４の近傍に温度センサ４０を配置することで、図２に示す炊飯器の蓋３１の開閉および炊飯器本体３０の持ち運びによって発生する衝撃により、電池４の破壊もしくは故障
により、電池４あるいは電池４の接続部が発熱し、電池４近傍の温度が上がり、その熱で基板１３に搭載された電子部品が故障あるいは破壊し、炊飯器が使用不能になる場合や、異常発熱により使用者へ危険が及ぶことが発生したとき、温度センサ４０で電池４近傍温度を感知し、マイクロコンピュータ１へ温度情報を伝え、炊飯器の状態を表示手段２に知らせる表示を表示する、あるいはブザー等の音での警告を使用者へ行うことができる。
【００４９】
また、特に、炊飯器を商用電源から電源を供給して使用している場合には、温度センサ４０による温度情報から、炊飯器が使用することが危険な状態であることを検知すると、マイクロコンピュータ１で強制的に加熱駆動手段２２の動作停止や電源手段３の電源供給停止を行い、電池４の発熱を防止するとともに、使用者の安全を確保することができる。
【００５０】
以上のように、本実施の形態においては、バックアップ電力を供給する電池４の近傍に温度センサ４０を有するので、蓋３１の開閉や炊飯器の持ち運びの際に炊飯器本体３０への衝撃が基板１３へ伝わり、この衝撃によりバックアップ回路の電池４が破壊または故障して発熱した場合には、温度センサ４０からの温度情報により、バックアップ機能の状態を使用者に知らせることができるとともに、危険な状態の場合においては炊飯器の強制停止を行い、使用者が安全に炊飯器を使用できる。
【００５１】
なお、本実施の形態では、電池４の近傍に温度センサ４０を設けたが、電池４、７、１０の少なくとも１つに設けてもよく、また、上記実施の形態２または３の電池１４の近傍に設けてもよい。
【産業上の利用可能性】
【００５２】
以上のように、本発明にかかる炊飯器は、蓋の開閉や炊飯器の持ち運びの際に炊飯器本体への衝撃による電池にかかる衝撃を分散することができて電池の破壊を回避できるとともに、電池の接続部が破壊した場合でも、他の電池に接触することがなく、電池の接触による電池の発熱を回避することができ、信頼性を向上することができるので、電源プラグをコンセントから抜かれたときの商用電源のバックアップ機能を有する炊飯器として有用である。
【図面の簡単な説明】
【００５３】
【図１】本発明の実施の形態１の炊飯器の基板の上面図
【図２】同炊飯器の断面図
【図３】同炊飯器の一部ブロック化した回路図
【図４】同炊飯器の蓋内の基板配置を示す透視図
【図５】（ａ）本発明の実施の形態２の炊飯器のバックアップ回路を搭載する基板の上面図（ｂ）同炊飯器のバックアップ回路を搭載する基板の断面図
【図６】（ａ）本発明の実施の形態３の炊飯器のバックアップ回路を搭載する基板の上面図（ｂ）同炊飯器のバックアップ回路を搭載する基板の断面図
【図７】本発明の実施の形態４の炊飯器の基板の上面図
【符号の説明】
【００５４】
１  マイクロコンピュータ
３  電源回路
４  電池
５  逆流防止用ダイオード
７  電池
８  逆流防止用ダイオード
１０  電池
１１  逆流防止用ダイオード
２１  商用電源
２３  加熱コイル（加熱手段）
２４  鍋
２６  バックアップ回路
２７  バックアップ回路
２８  バックアップ回路
３０  炊飯器本体
３１  蓋
【図１】
0005169414.tif 000002
【図２】
0005169414.tif 000003
【図３】
0005169414.tif 000004
【図４】
0005169414.tif 000005
【図５】
0005169414.tif 000006
【図６】
0005169414.tif 000007
【図７】
0005169414.tif 000008